(57)【要約】【課題】より簡単な構成で、より多様な操作を実現できるようにする。【解決手段】ディスプレイ４１に重畳されたタッチパネルは、ディスプレイ４１が押圧されると、その押圧位置を出力する。また、タッチパネルは、２つの位置が同時に押圧されると、それらの位置の中点の位置を押圧位置として出力する。ユーザが操作ボタン８１を押圧すると、操作ボタン８１内の処理検出領域９１が押圧位置として検出され、処理検出領域９１に対応付けられた第１の処理が実行される。拡張ボタン８２と操作ボタン８１が同時に押圧されると、それらの中点にある処理検出領域９２が押圧位置として出力され、処理検出領域９２に対応付けられた第２の処理が実行される。このように拡張ボタン８２を設けることで、１つの操作ボタン８１に２つの処理を割り当てることができる。本発明は、観察システムに適用することができる。【選択図】図３
2011128779.tif 000002
【特許請求の範囲】
【請求項１】
表示画面中央の表示領域よりも前記表示画面の端側に設けられた操作領域に、第１の処理と対応付けられた第１の画像と、所定の第２の画像とを表示する表示手段と、
前記表示手段の前記表示画面に重畳して設けられ、前記表示画面へのものの接触を検出して、その接触位置を出力し、前記表示画面上の複数の位置が同時に接触された場合、それらの複数の位置から定まる特定の位置を前記接触位置として出力するタッチパネルと、
前記第１の画像の位置が前記接触位置として出力された場合、前記第１の処理を実行し、前記第１の画像の位置と、前記第２の画像の位置とから定まる前記特定の位置が前記接触位置として出力された場合、前記第１の処理とは異なる第２の処理を実行する制御手段と
を備えることを特徴とするタッチパネル入力機器。
【請求項２】
前記タッチパネルは、複数の位置が同時に接触された場合、それらの複数の位置の重心の位置を前記接触位置として出力する
ことを特徴とする請求項１に記載のタッチパネル入力機器。
【請求項３】
前記タッチパネルは抵抗膜式のタッチパネルである
ことを特徴とする請求項１または請求項２に記載のタッチパネル入力機器。
【請求項４】
前記第１の画像と前記第２の画像とは、前記表示画面の互いに対向する端近傍に表示され、
前記第１の画像の位置と、前記第２の画像の位置とから定まる前記特定の位置には、前記第２の処理と対応付けられた画像は表示されない
ことを特徴とする請求項１乃至請求項３の何れかに記載のタッチパネル入力機器。
【請求項５】
前記制御手段は、前記第２の画像の位置が前記接触位置として出力された場合、前記第１の画像の表示位置に、前記第１の画像に代えて、前記第２の処理と対応付けられた画像が表示されるように前記表示手段を制御する
ことを特徴とする請求項１乃至請求項４の何れかに記載のタッチパネル入力機器。
【請求項６】
前記表示手段は、前記操作領域に複数の前記第１の画像、および複数の前記第２の画像を表示し、
前記制御手段は、前記第１の画像の位置と、前記第２の画像の位置とから定まる前記特定の位置が、他の第１の画像の位置と、他の第２の画像の位置とから定まる前記特定の位置と同じである場合、前記他の第２の画像の位置が前記接触位置として出力されてから所定の時間内に、前記第１の画像の位置と、前記第２の画像の位置とから定まる前記特定の位置が前記接触位置として出力されても、前記第２の処理を実行しない
ことを特徴とする請求項１乃至請求項４の何れかに記載のタッチパネル入力機器。
【発明の詳細な説明】
【技術分野】
【０００１】
本発明は、タッチパネル操作をする場合に、より簡単な構成で、より多様な操作を実現できるようにしたタッチパネル入力機器に関する。
【背景技術】
【０００２】
従来、片側表面に透明電極による膜が形成された２つの基板を、各透明電極の膜が対向するようにスペーサを介して積層する抵抗膜式のタッチパネルが知られており、抵抗膜式のタッチパネルは、様々な携帯情報端末装置等に広く利用されている。
【０００３】
抵抗膜式のタッチパネルは、タッチパネルが押圧されると、対向する透明電極同士が接地したときの電圧と基準電圧との差が、透明電極の膜近傍に配置された電極回路から出力され、その電位差からタッチパネルへの押圧位置が特定される仕組みとされている。このような構成とされたタッチパネルでは、原理的に複数の押圧位置を同時に検出することができないため、より多様なタッチパネル操作を可能とするために、複数の押圧位置を同時に検出する技術が提案されている。
【０００４】
例えば、複数の位置を同時に検出する技術として、パネル上に形成された透明電極をストライプ状に加工し、ストライプ模様が交差するように２つのパネルを配置することで、複数の透明電極対からなるマトリクスを形成するものがある（例えば、特許文献１参照）。
【０００５】
このようなタッチパネルを用いれば、複数の押圧位置を同時に検出できるので、例えば通常のパーソナルコンピュータ等で使用されているシフトキーの機能を利用して、１つのボタンに複数の機能を持たせることができる。すなわち、タッチパネルが重畳された表示画面にシフトキーと実行ボタンを表示させ、シフトキーと実行ボタンが同時に押された場合には、実行ボタンだけが押された場合と異なる処理を実行させることが可能となる。
【０００６】
これにより、表示画面に表示させるボタンの数をより少なくして、表示画面のスペースを有効に活用しつつ、より多様なタッチパネル操作を実現することができる。
【先行技術文献】
【特許文献】
【０００７】
【特許文献１】特開２００２−３４２０１４号公報
【発明の概要】
【発明が解決しようとする課題】
【０００８】
しかしながら、複数の押圧位置を同時に検出可能なタッチパネルは、２つの基板を対向させて配置する抵抗膜式のタッチパネルと比べて構成が複雑であり、透明電極のパターンニングや成膜にコストがかかってしまう。また、特許文献１に記載のタッチパネルには、入力操作を導電体で行わなければならないという制約もあり、不便であった。
【０００９】
本発明は、このような状況に鑑みてなされたものであり、タッチパネル操作をする場合に、より簡単な構成で、より多様な操作を実現できるようにするものである。
【課題を解決するための手段】
【００１０】
本発明のタッチパネル入力機器は、表示画面中央の表示領域よりも前記表示画面の端側に設けられた操作領域に、第１の処理と対応付けられた第１の画像と、所定の第２の画像とを表示する表示手段と、前記表示手段の前記表示画面に重畳して設けられ、前記表示画面へのものの接触を検出して、その接触位置を出力し、前記表示画面上の複数の位置が同時に接触された場合、それらの複数の位置から定まる特定の位置を前記接触位置として出力するタッチパネルと、前記第１の画像の位置が前記接触位置として出力された場合、前記第１の処理を実行し、前記第１の画像の位置と、前記第２の画像の位置とから定まる前記特定の位置が前記接触位置として出力された場合、前記第１の処理とは異なる第２の処理を実行する制御手段とを備えることを特徴とする。
【発明の効果】
【００１１】
本発明によればタッチパネル操作をする場合に、より簡単な構成で、より多様な操作を実現することができる。
【図面の簡単な説明】
【００１２】
【図１】本発明を適用した観察システムの一実施の形態の構成例を示す図である。
【図２】コントロールユニットのより詳細な構成例を示す図である。
【図３】ディスプレイの表示例を示す図である。
【発明を実施するための形態】
【００１３】
以下、図面を参照して、本発明を適用した実施の形態について説明する。
【００１４】
［観察システムの構成］
図１は、本発明を適用した観察システムの一実施の形態の構成例を示す図である。
【００１５】
観察システムは、観察対象の試料を観察する顕微鏡１１、顕微鏡１１に設けられたカメラ１２、およびカメラ１２を制御するコントロールユニット１３から構成される。
【００１６】
試料の観察時において、顕微鏡１１は照明光を試料に照射し、照明光の試料への照射により生じた観察光を、対物レンズ等からなる光学系で集光してカメラ１２へと導く。ユーザは、コントロールユニット１３を操作することで、試料からの観察光の像をカメラ１２に撮像させることができ、カメラ１２による撮像で得られた電気信号は、カメラ１２からコントロールユニット１３へと供給される。
【００１７】
すなわち、カメラ１２は、試料から入射した観察光を光電変換し、その結果得られた電気信号をコントロールユニット１３に供給する。そして、コントロールユニット１３は、カメラ１２からの電気信号に基づいて、試料の観察画像を生成し、記録する。ユーザは、コントロールユニット１３を操作することで、記録された観察画像を再生させることができる。
【００１８】
［コントロールユニットの構成］
図１のコントロールユニット１３は、より詳細には図２に示すように構成される。
【００１９】
コントロールユニット１３は、LCD（Liquid Crystal Display）等からなるディスプレイ４１、ディスプレイ４１の表示部前面に重畳して配置されたタッチパネル４２、および制御部４３から構成される。これらのディスプレイ４１乃至制御部４３は、図示せぬ筐体に収納されている。
【００２０】
タッチパネル４２は、抵抗膜式のタッチパネルであり、タッチパネル４２表面に対するユーザの指等による押圧（接触）を検出し、その押圧位置（接触位置）を制御部４３に供給する。より詳細には、タッチパネル４２からは、ユーザによる押圧により生じた電位差が出力され、制御部４３は、その電位差から押圧位置を特定する。
【００２１】
この電位差は、所定の基準位置から押圧位置までの距離によって定まるため、タッチパネル４２は、複数の位置が同時に押圧された場合には、それらの位置の中心、または３点以上押圧された場合はその重心の位置を押圧位置として出力するという特徴を有している。
【００２２】
制御部４３は、コントロールユニット１３全体の動作を制御する。制御部４３には、情報処理部５１およびデータ記録部５２が設けられており、情報処理部５１は、ディスプレイ４１に画像を表示させたり、タッチパネル４２から押圧位置が供給されると、その押圧位置に割り当てられた処理を実行したりする。
【００２３】
また、情報処理部５１には観察画像生成部６１が設けられており、観察画像生成部６１は、カメラ１２の動作を制御するとともに、カメラ１２から供給された電気信号に基づいて観察画像を生成する。観察画像生成部６１は、生成した観察画像をデータ記録部５２に供給し、記録させる。
【００２４】
データ記録部５２は、情報処理部５１が実行するプログラム、ディスプレイ４１に表示される画像等のデータ、座標データ、観察画像などを記録し、記録しているデータ等を必要に応じて情報処理部５１に供給する。
【００２５】
ここで、座標データとは、ディスプレイ４１の表示画面、つまりタッチパネル４２の表面上の特定のいくつかの領域（以下、処理検出領域と称する）と、それらの処理検出領域への押圧操作が行われたときに実行する処理のそれぞれとを示すデータである。
【００２６】
したがって、例えばタッチパネル４２により検出された押圧位置が、所定の処理検出領域内の位置である場合、座標データにより示される、その処理検出領域に対応付けられた処理が実行されることになる。なお、タッチパネル４２の表面上の位置は、例えば所定の基準位置を原点とする２次元座標系の座標により表される。
【００２７】
［コントロールユニットの動作の説明］
次に、コントロールユニット１３の動作について説明する。
【００２８】
例えば、情報処理部５１は、データ記録部５２から所定の画像データを読み出してディスプレイ４１に供給し、図３に示す画面をディスプレイ４１に表示させる。
【００２９】
ディスプレイ４１の表示画面には、表示画面中央の表示領域ＰＲと、表示領域ＰＲを囲む操作領域ＣＲとが設けられている。表示領域ＰＲは、例えば観察画像等が表示される領域であり、操作領域ＣＲは、表示領域ＰＲよりも表示画面の端側にあって、コントロールユニット１３による処理を指示するときに操作される画像（アイコン）が表示される領域である。
【００３０】
図３では、操作領域ＣＲ内、具体的には画面の図中、右端に、所定の機能を実現させるための操作ボタン８１−１乃至操作ボタン８１−６が縦方向に並べられて表示されている。これらの操作ボタン８１−１乃至操作ボタン８１−６は、予め定められた処理に対応付けられた画像であり、それらの処理を実行させるときに操作される。なお、以下、操作ボタン８１−１乃至操作ボタン８１−６を個々に区別する必要のない場合、単に操作ボタン８１とも称する。
【００３１】
また、操作領域ＣＲ内であって、ディスプレイ４１の表示画面の図中、左下の端には、拡張ボタン８２が表示されている。この拡張ボタン８２は、予め定められた所定の画像であり、操作ボタン８１が単独で操作されたときに実行される処理とは異なる処理を実行させるときに、操作ボタン８１とともに操作される。すなわち、拡張ボタン８２は、いわゆるシフトキーとして機能する。
【００３２】
各操作ボタン８１には、２つの処理が対応付けられており、ユーザは、操作ボタン８１を単独で操作するか、または操作ボタン８１と拡張ボタン８２を同時に操作することで、それらの２つの処理を選択的に実行させることができる。
【００３３】
より詳細に説明すると、ディスプレイ４１に図３に示す画面が表示される場合、座標データには、処理検出領域９１−１乃至処理検出領域９１−６、および処理検出領域９２−１乃至処理検出領域９２−６と、それらの処理検出領域に対応付けられた処理とを示す情報が含まれている。
【００３４】
なお、以下、処理検出領域９１−１乃至処理検出領域９１−６を個々に区別する必要のない場合、単に処理検出領域９１とも称する。また、以下、処理検出領域９２−１乃至処理検出領域９２−６のそれぞれを個々に区別する必要のない場合、単に処理検出領域９２とも称する。
【００３５】
ここで、処理検出領域９１−１乃至処理検出領域９１−６は、それぞれ操作ボタン８１−１乃至操作ボタン８１−６内にある領域である。また、処理検出領域９２−１乃至処理検出領域９２−６は、処理検出領域９１−１乃至処理検出領域９１−６のそれぞれと、拡張ボタン８２とを結ぶ直線の中点近傍の領域である。
【００３６】
コントロールユニット１３では、操作ボタン８１−１乃至操作ボタン８１−６に対応付けられた処理とは、処理検出領域９１−１乃至処理検出領域９１−６に対応付けられた処理、および処理検出領域９２−１乃至処理検出領域９２−６に対応付けられた処理である。
【００３７】
操作ボタン８１には、カメラ１２による観察光の撮像、カメラ１２におけるコントラスト等の設定の変更、観察画像の再生、複数の観察画像を表示する場合における、次または前の観察画像の再生などの処理が予め対応付けられる。
【００３８】
例えば、処理検出領域９１−１に、順序付けられた観察画像を順番に表示する場合に、表示されている観察画像の１つ次の観察画像を表示させる処理（以下、ページ送り処理と称する）が対応付けられていたとする。また、処理検出領域９２−１に、順序付けられた観察画像を順番に表示する場合に、表示されている観察画像の１つ前の観察画像を表示させる処理（以下、ページ戻り処理と称する）が対応付けられていたとする。
【００３９】
この場合、操作ボタン８１−１には、ページ送り処理と、ページ戻り処理が対応付けられていることになる。
【００４０】
これは、ユーザにより拡張ボタン８２と操作ボタン８１−１が同時に押圧された場合、タッチパネル４２の性質上、拡張ボタン８２と操作ボタン８１−１（処理検出領域９１−１）とを結ぶ直線の中点近傍の処理検出領域９２−１内の位置が押圧位置として出力されるからである。
【００４１】
例えば、表示領域ＰＲに複数の観察画像を順番に表示させる場合、ユーザは、次の観察画像を表示させたいときに、ディスプレイ４１上の操作ボタン８１−１、つまり処理検出領域９１−１を指などで押圧する。すると、タッチパネル４２は、その押圧位置を検出し、検出した押圧位置を情報処理部５１に供給する。
【００４２】
情報処理部５１は、タッチパネル４２から供給された押圧位置と、データ記録部５２に記録されている座標データとに基づいて、ユーザのタッチパネル操作を検出する。すなわち、情報処理部５１は、座標データにより特定される処理検出領域のうち、供給された押圧位置を含む処理検出領域を検出する。
【００４３】
この場合、ユーザにより操作ボタン８１−１が操作されたので、押圧位置を含む処理検出領域として、処理検出領域９１−１が特定されることになる。さらに、情報処理部５１は座標データを参照し、特定された処理検出領域９１−１に対応付けられている処理を実行する。
【００４４】
座標データでは、処理検出領域９１−１には、ページ送り処理が対応付けられているので、情報処理部５１はデータ記録部５２から、次に表示させるべき観察画像を読み出してディスプレイ４１に供給し、表示領域ＰＲ内に観察画像を表示させる。このようにして、操作ボタン８１−１が操作されると、操作ボタン８１−１の単独操作に対応付けられているページ送り処理が実行される。
【００４５】
また、例えば、表示領域ＰＲ内の観察画像の１つ前の観察画像を表示させたい場合、ユーザは、ディスプレイ４１上に表示されている拡張ボタン８２と操作ボタン８１−１（処理検出領域９１−１）を同時に押圧する。すると、タッチパネル４２は、その押圧位置を検出し、検出した押圧位置を情報処理部５１に供給する。
【００４６】
この場合、拡張ボタン８２と操作ボタン８１−１が同時に押圧されたので、拡張ボタン８２と操作ボタン８１−１を結ぶ直線の中点の位置、つまり処理検出領域９２−１内の位置が押圧位置として情報処理部５１に供給される。
【００４７】
情報処理部５１は、タッチパネル４２から供給された押圧位置と、データ記録部５２に記録されている座標データとに基づいて、ユーザのタッチパネル操作を検出する。タッチパネル４２により検出された押圧位置は、処理検出領域９２−１内の位置であるので、検出結果として、処理検出領域９２−１に対応付けられたページ戻り処理が特定される。
【００４８】
すると、情報処理部５１は、特定されたページ戻り処理を実行する。すなわち、情報処理部５１はデータ記録部５２から、表示中の観察画像の１つ前の観察画像を読み出してディスプレイ４１に供給し、表示領域ＰＲ内に観察画像を表示させる。
【００４９】
このようにして、拡張ボタン８２と操作ボタン８１−１が同時に操作されると、拡張ボタン８２と操作ボタン８１−１の組み合わせの操作に対応付けられているページ戻り処理が実行される。
【００５０】
以上のように、コントロールユニット１３においては、ディスプレイ４１に拡張ボタン８２を表示させ、拡張ボタン８２と操作ボタン８１を同時に操作させることで、操作ボタン８１に複数の機能（処理）を割り当てることができる。
【００５１】
これにより、抵抗膜式のタッチパネル４２を利用するコントロールユニット１３においても、より簡単な構成で、より多様なタッチパネル操作を実現することができる。
【００５２】
すなわち、コントロールユニット１３に設けるタッチパネルとして、複数の押圧位置を同時に検出できる複雑な構成のタッチパネルを用いなくても、より簡単な構成の抵抗膜式のタッチパネル４２で、１つの操作ボタン８１に複数の機能を割り当てることができる。しかも、抵抗膜式のタッチパネル４２では、タッチパネル４２への押圧操作は導電体に限らず、絶縁体などどのようなものでも行うことができる。
【００５３】
また、コントロールユニット１３では、１つの操作ボタン８１に複数の機能が対応付けられているので、ディスプレイ４１に表示させる操作ボタン８１の数をより少なくすることができ、ディスプレイ４１の表示画面を有効に活用することができる。特に、１つの操作ボタン８１に複数の機能を持たせることは、ディスプレイ４１の表示画面が小さく、操作ボタン８１の配置スペースが限定される場合などに有効である。
【００５４】
さらに、１つの操作ボタン８１に複数の機能を持たせて操作ボタン８１の数を少なくし、表示画面の端近傍に操作ボタン８１を表示することで、ディスプレイ４１の中央の表示領域ＰＲに、所望の観察画像や文書データなどを、より大きく表示させることができる。
【００５５】
この場合、ユーザは、拡張ボタン８２と操作ボタン８１（処理検出領域９１）を同時に操作することで、処理検出領域９２に対応付けられた処理を実行させることができるので、表示領域ＰＲの部分に触れずに処理の実行を指示することができる。したがって、ディスプレイ４１の中央部の表示領域ＰＲがタッチパネル操作により汚れてしまい、表示された観察画像や文書が見にくくなってしまうようなこともない。
【００５６】
なお、タッチパネル４２は、複数の位置が同時に押圧された場合に、それらの位置の重心位置を押圧位置として出力するものであれば、抵抗膜式のものに限らず、どのようなものであってもよい。
【００５７】
［変形例１］
また、拡張ボタン８２の操作に応じて、各操作ボタン８１の表示を切り替えるようにしてもよい。例えば、処理検出領域９１−１にページ送り処理が対応付けられ、処理検出領域９２−１にページ戻り処理が対応付けられていたとする。
【００５８】
このような場合において、情報処理部５１は、タッチパネル４２への操作がされていない状態では、ページ送り処理に対応付けられた画像、例えば図３中、右方向の矢印の画像を操作ボタン８１−１として表示させる。
【００５９】
この状態から、ユーザにより拡張ボタン８２が操作され、タッチパネル４２から情報処理部５１に、拡張ボタン８２の位置が押圧位置（接触位置）として供給されたとする。すると、情報処理部５１は、これまで表示していた右方向の矢印の画像に代えて、ページ戻り処理に対応付けられた画像、例えば図３中、左方向の矢印の画像を操作ボタン８１−１として表示させる。
【００６０】
したがって、ユーザが拡張ボタン８２に触れていない状態では、操作ボタン８１−１には右方向の矢印の画像が表示され、ユーザが拡張ボタン８２に触れると、ユーザが拡張ボタン８２に触れている間は、操作ボタン８１−１には左方向の矢印の画像が表示されることになる。そして、ユーザが拡張ボタン８２から手を離すと、操作ボタン８１−１には、再び右方向の矢印の画像が表示される。
【００６１】
このように、拡張ボタン８２が操作された場合に、操作ボタン８１の表示が、拡張ボタン８２と操作ボタン８１を組み合わせて操作したときに実現される機能を表す画像に変化するようにすることで、コントロールユニット１３の操作性を向上させることができる。つまり、ユーザは、操作ボタン８１により実現される機能を簡単に把握することができる。
【００６２】
また、拡張ボタン８２は、ユーザに注目されるように、時間とともに大きさや色が変化するように表示されてもよい。そのような場合、例えば情報処理部５１は、拡張ボタン８２の大きさを、繰り返し拡大および縮小させる処理を行う。
【００６３】
［変形例２］
また、拡張ボタン８２を複数設け、操作ボタン８１に２以上の処理が対応付けられるようにしてもよい。そのような場合、一の拡張ボタン８２と操作ボタン８１が同時に操作された場合と、他の拡張ボタン８２と操作ボタン８１が同時に操作された場合とでは、互いに異なる処理が実行されることになる。
【００６４】
具体的には、例えば図３中、左下の拡張ボタン８２の他に、図３中、操作領域ＣＲ内の左上の端に他の拡張ボタン（以下、第２拡張ボタンと称する）が設けられる。
【００６５】
そして、例えば操作ボタン８１−１が単独で操作されるとページ送り処理が実行され、拡張ボタン８２と操作ボタン８１−１が同時に操作されると、ページ戻り処理が実行される。さらに、第２拡張ボタンと操作ボタン８１−１が同時に操作されると、例えば観察画像の拡大処理が実行される。
【００６６】
また、このような例において、第２拡張ボタンと、操作ボタン８１−１乃至操作ボタン８１−５のそれぞれとを結ぶ直線の中点の領域は、処理検出領域９２と一致しない（重ならない）が、第２拡張ボタンと操作ボタン８１−６を結ぶ直線の中点の領域が、処理検出領域９２−１と同じ領域となるとする。
【００６７】
そのような場合、操作ボタン８１−６には、第２拡張ボタンと操作ボタン８１−６とを同時に操作したときに実行される機能は、割り当てられない。これは、第２拡張ボタンと操作ボタン８１−６を同時に操作しても、拡張ボタン８２と操作ボタン８１−１を同時に操作しても、タッチパネル４２から出力される押圧位置は処理検出領域９２−１となり、どちらの操作がされたかを区別できないからである。
【００６８】
また、このような場合、第２拡張ボタンと操作ボタン８１−６が操作されても、何も処理が実行されないようにしてもよい。
【００６９】
具体的には、処理検出領域９２−１に、観察画像の表示を終了させる表示終了処理が対応付けられているとする。この場合、情報処理部５１は、拡張ボタン８２と操作ボタン８１−１が同時に操作され、タッチパネル４２から処理検出領域９２−１を示す位置が押圧位置として供給されると、表示終了処理を実行し、表示領域ＰＲ内の観察画像の表示を終了する。
【００７０】
これに対して情報処理部５１は、第２拡張ボタンを示す位置が押圧位置として供給された後、予め定められた所定時間内に、処理検出領域９２−１を示す位置が押圧位置として供給された場合には、処理検出領域９２−１に対応付けられた表示終了処理を実行しない。つまり、第２拡張ボタンが操作された後、第２拡張ボタンと操作ボタン８１−６が同時に操作されても、何ら処理は実行されない。
【００７１】
第２拡張ボタンが操作された後、ある程度短い所定時間内に処理検出領域９２−１を示す位置が押圧位置として出力された場合、ユーザが第２拡張ボタンを押圧したまま操作ボタン８１−６も押圧した可能性が高い。
【００７２】
この場合、押圧位置として処理検出領域９２−１が出力されるが、処理検出領域９２−１に対応付けられた表示終了処理は、拡張ボタン８２と操作ボタン８１−１の同時操作に対して割り当てられたものである。したがって、ユーザが第２拡張ボタンと操作ボタン８１−６を同時に操作した場合には、ユーザは表示終了処理の実行の指示を意図していないはずであるので、表示終了処理を実行すべきではない。
【００７３】
そこで、コントロールユニット１３では、第２拡張ボタンが操作された後、所定時間内に処理検出領域９２−１を示す位置が押圧位置として出力された場合には、何ら処理が実行されない。これにより、ユーザの誤操作を防止することができる。
【００７４】
また、このような場合に、第２拡張ボタンへの操作に応じて操作ボタン８１の表示を切り替えるときには、第２拡張ボタンが操作されている間、操作ボタン８１−６がグレー表示されるようにしてもよい。そのような場合、第２拡張ボタンが操作されると、操作ボタン８１−１乃至操作ボタン８１−５には、それらの操作ボタン８１に割り当てられた処理を表す画像が表示されるが、操作ボタン８１−６だけはグレー表示されることになる。
【００７５】
このように、第２拡張ボタンが操作された場合に、第２拡張ボタンとの組み合わせ操作に対して処理が割り当てられていない操作ボタン８１を、他の操作ボタン８１と異なる表示形式で表示することで、コントロールユニット１３の操作性を向上させることができる。
【００７６】
なお、本発明の実施の形態は、上述した実施の形態に限定されるものではなく、本発明の要旨を逸脱しない範囲において種々の変更が可能である。
【符号の説明】
【００７７】
１１  顕微鏡，  １２  カメラ，  １３  コントロールユニット，  ４１  ディスプレイ，  ４２  タッチパネル，  ５１  情報処理部，  ５２  データ記録部，  ８１  操作ボタン，  ８２  拡張ボタン，  ９１  処理検出領域，  ９２  処理検出領域
【図１】
2011128779.tif 000003
【図２】
2011128779.tif 000004
【図３】
2011128779.tif 000005